(57)【要約】【課題】  簡単な構成で利用者に応じた最適の夜間の覚醒防止効果が期待できて、トイレなどの照明器具として最適の照明器具を提供する。【解決手段】  壁面１に取付けられるボックス２の内部にランプ３を配置する。ボックス２の上面部、下面部にそれぞれランプ３の光が壁面１に沿って上方及び下方に透過して壁面を照らすための上光透過用開口４、下光透過用開口５を設ける。下光透過用開口５に照度調整用ルーバ６を回動自在に設ける。【選択図】        図１
2005209393.tif 000002
【特許請求の範囲】
【請求項１】
壁面に取付けられるボックスの内部にランプを配置すると共に、ボックスの下面部にランプの光が下方に透過して壁面を間接照明するための下光透過用開口を設け、下光透過用開口に照度調整用ルーバを回動自在に設けて成ることを特徴とする照明装置。
【請求項２】
ボックスを水平断面コ字状をした本体部と、本体部の前面開口を開閉自在とする本体部に対して回動自在に取付けた前蓋板とで構成し、前蓋板の前面を鏡面として成ることを特徴とする請求項１記載の照明装置。
【発明の詳細な説明】
【技術分野】
【０００１】
本発明は、壁に取付けて、壁面を間接照明し且つ照度調整が容易に行えるようにする技術に関するものである。
【背景技術】
【０００２】
従来から、トイレなどに設けられる照明器具として、人体検知により自動点灯及び消灯するものがあった。また、この照明機能に加え、夜間に中途覚醒状態でトイレに行った場合などの覚醒防止を目的として、点灯時の照度を数〜数十ルックスに設定した機能のものもあった。
【０００３】
しかし、夜間のトイレ内での行動に必要な照度は、加齢により若い時の数倍の照度を必要とすると言われている。
【０００４】
ところが、従来のトイレなどに設けられる夜間の覚醒防止を目的とした照明器具は５〜２０ルックス程度に照度が設定してあり、例えば２０歳の人にとっては、夜間の覚醒防止に丁度よい照度であるが、７０歳ではこの４倍近い照度が必要であるといわれており、したがって、年を取った人にとっては照度不足となるという問題があった。逆に、年を取った人の夜間の覚醒防止に丁度よい照度に設定すると、若い人にとっては、明る過ぎて、夜間の覚醒防止効果がないという問題がある。
【０００５】
また、夜間の覚醒防止を目的とした照明として足元灯があるが、このものは足元のみを照らすため、足元以外は真っ暗な状態であり、トイレのように、上下方向にわたってある程度の明るさが必要な場所における照明としては十分ではない。
【０００６】
一方、天井に設置した照明器具で室内を直接照明するものにおいて、必要部位に対して直接照明により集中配光可能とするために、天井に配置した照明器具の下光透過用開口にルーバを角度調整可能に並設するものが、特許文献１により知られている。
【０００７】
ところが、このものは天井から室内を直接照明するに当たって、必要部位を集中配光するためにルーバの角度調整をするようにしたものであり、壁面を間接照明するようにしたものではなく、このよう照明器具をトイレにおける照明として用いても直接照明で必要部位を集中配向するものであるため、夜間における覚醒防止効果など期待できない。
【０００８】
また、段付き天井の段部に照明器具を配置して天井から室内を直接照明するものと、上段の天井面を間接照明するものが特許文献２により知られているが、これは、天井から室内を直接照明すると共に上段の天井面のみを間接照明したものであり、壁面を間接照明するようにしたものではなく、このよう照明器具をトイレにおける照明として用いても直接照明で天井から室内を照らすものであるため、夜間における覚醒防止効果など期待できない。
【特許文献１】特開平８−７６２７号公報
【特許文献２】実開平７−１８３０９号公報
【発明の開示】
【発明が解決しようとする課題】
【０００９】
本発明は上記の従来の問題点に鑑みて発明したものであって、簡単な構成で利用者に応じた最適の夜間の覚醒防止効果が期待できて、トイレなどの照明器具として最適の照明器具を提供することを課題とするものである。
【課題を解決するための手段】
【００１０】
上記課題を解決するために本発明に係る照明器具は、壁面１に取付けられるボックス２の内部にランプ３を配置すると共に、該ボックス２の下面部にランプ３の光が下方に透過して壁面を間接照明するための下光透過用開口５を設け、下光透過用開口５に照度調整用ルーバ６を回動自在に設けて成ることを特徴とするものである。
【００１１】
このような構成とすることで、ボックス１の下面部の下光透過用開口５を透過したランプ３の光が壁面１を下方に照射することで、壁面１を柔らかい間接照明で照明でき、トイレなどの夜間の覚醒防止を図りながら間接照明で照明するのに適しており、しかも、照度調整用ルーバ６を回動して下光透過用開口４から壁面１に沿って下方に照射される光の照度を調整でき、若い人や、年を取った人に応じた最適の夜間の覚醒防止効果が得られる照度に調整ができるものである。
【００１２】
また、ボックス２を水平断面コ字状をした本体部７と、本体部７の前面開口を開閉自在とする本体部７に対して回動自在に取付けた前蓋板８とで構成し、前蓋板８の前面を鏡面９とすることが好ましい。
【００１３】
このような構成とすることで、前蓋板８を回動することで、ランプ３交換やメンテナンスが簡単に行えるものであり、しかも、前蓋板８を閉じた状態では、ボックス２の前面部を鏡として利用でき、鏡の上下から光が出て壁面１を間接照明するという新規な照明器具が提供できるものである。
【発明の効果】
【００１４】
本発明は、ボックスの下面部の下光透過用開口を透過したランプの光が壁面を下方に照射することで、壁面を柔らかい間接照明で照明でき、トイレなどの夜間の覚醒防止を図りながら間接照明で照明するのに適しており、しかも、照度調整用ルーバを回動して下光透過用開口から壁面に沿って下方に照射される光の照度を調整でき、若い人や、年を取った人に応じた最適の夜間の覚醒防止効果が得られる照度に調整ができるものである。
【発明を実施するための最良の形態】
【００１５】
以下、本発明を添付図面に示す実施形態に基いて説明する。
【００１６】
ボックス２は扁平な角筒状をしており、水平断面コ字状をした本体部７と、本体部７の前面開口を開閉自在とする前蓋板８とで構成してある。この扁平な角筒状をしたボックス２は上面部、下面部にはそれぞれランプ３の光が壁面１に沿って上方及び下方に透過して壁面１を照らすための上光透過用開口４、下光透過用開口５を設けてある。ボックス２内には主体部７の背板部９に照明器具本体１０が取付けてあり、照明器具本体１０の下面部から下方に突出した支持部２５にランプ３が取付けてある。照明器具本体１０には開口部１８を設けてあり、これにより、照明器具本体１０により遮られるランプ３の光を開口部１８を介して上光透過用開口４側に配向できるようになっている。
【００１７】
主体部７の背板部９にはコード導入孔１１が設けてあり、ボックス２の背板部９を壁面１に固着具や引掛け具などにより取付けた際に、壁面１側から上記コード導入孔１１を介して照明器具本体１０に電源コードを導入できるようになっている。
【００１８】
前蓋板８を上端部がボックス２に対して軸１２により回動自在に取付けてあり、図３、図４（ｂ）のように前蓋板８を上に回動して本体部７の前面部を開放することで、ランプ３の交換や内部の点検等ができるようになっている。この前蓋板８は鏡により構成してあったり、板材の前面に鏡を取着して構成してあり、これにより前蓋板８の前面が鏡面９となっている。
【００１９】
ボックス２の下光透過用開口５には照度調整用ルーバ６が回動自在に設けてある。照度調整用ルーバ６はルーバ体１４の長手方向の両端部に軸部１５を設け、少なくとも一方軸部１５に回動操作用のダイヤル１６を固着して構成してあり、照度調整用ルーバ６の両端部の軸部１５を水平断面コ字状をした本体部７の両側板部１３の下部に回動自在に取付けることで、ボックス２の下光透過用開口５に照度調整用ルーバ６が回動自在に配設されることになる。
【００２０】
ここで、下光透過用開口５側にのみ照度調整用ルーバ６を設けたのは、前述のように、照明器具本体１０の下方位置にランプ３を配置してあるので、ランプ３からの光の一部が照明器具本体１０に遮られ、上光透過用開口３を透過する光量が下光透過用開口４を透過する光量よりも少なく、したがって、ボックス２の上方位置の壁面１を照らす光の照度の方が、ボックス２の下方位置の壁面１を照らす光の照度よりも小さい。したがって、夜間の覚醒防止効果を得るには、上光透過用開口４を透過してボックス２の上方位置の壁面１を照らす照度を、夜間に中途覚醒状態でトイレにいく若い人の覚醒防止効果が期待できる程度の照度である５〜２０ルックス又はこれ以下の照度となるように設定し、下光透過用開口４を透過してボックス２の下方位置の壁面１を照らす照度を、照度調整ルーバ６の回動角度を小さくした状態で上記と同様に夜間に中途覚醒状態でトイレにいく若い人の覚醒防止効果が期待できる程度の照度となり且つ照度調整用ルーバー６の回動角度を最大にした全開状態で老人が夜間に中途覚醒状態でトイレに行った時に覚醒防止効果が期待できる程度又はそれ以上の照度となるように設定し、照度調整用ルーバ６を回動することで若い人や老人に応じた夜間に中途覚醒状態における覚醒防止効果が期待できる照度に調整する。若い人が住んでいる家では、ダイヤル１６を操作して照度調整用ルーバ６を図５（ａ）のように回動して下光透過用開口４からの光量を絞り、ボックス２の下方の壁面１を照らす照度を低下させる。一方、老人が住んでいる家では、ダイヤル１６を操作して照度調整用ルーバ６を回動して照度調整用ルーバ６の角度を大きくして下光透過用開口４を透過する光量を多くし、ボックス２の下方の壁面１を照らす照度を上げる。
【００２１】
これにより、使用する人の年齢に応じた夜間に中途覚醒状態における覚醒防止ができる照度が確保できる。この場合、ボックス２の下方の壁面１の間接照明だけでなく、上透過用開口３を透過する光でボックス２の上方の壁面１も覚醒防止ができる照度で間接照明されるので、夜間の覚醒防止を図りながら室内を上下方向にわたって間接照明できるものであり、トイレのようにある程度室内の上下方向にわたって照明が必要な箇所における間接照明に適している。
【００２２】
また、図５（ｂ）のように、照度調整用ルーバ６の角度を大きくし、照度を最大にするように設定すれば、昼間の間接照明として利用できる照度が確保できるものである。
【００２３】
本発明の照明器具はトイレにおける間接照明に適しているのであるが、図１、図２のように、トイレの手洗い用ボール２０やからん２１の上方に配置して壁面１を間接照明するようにすると、手洗い用ボール２０やからん２１部分も間接照明で照らされ、夜間において半覚醒状態で手洗いをする際に覚醒防止効果が期待できる。なお、手洗いボール２０を上面に備えたキャビネット２２の前面の下端部にＬＥＤよりなる足元照明２３を設けてもよい。つまり、本発明のように壁面１を間接照明するものにおいては、壁面１の下部の前方にキャビネット２２を配置すると、キャビネット２２に遮られて、足元が暗くなる怖れがあるが、このようにキャビネット２２の下端部に足元照明２３を設けると、覚醒防止効果を発揮しながら足元を照らすことができるものである。また、ランプ３は人体検知センサ２６による人体の検知の有無により自動点灯、自動消灯するようにしてもよい。
【００２４】
また、照度調整用ルーバ６を回動操作して角度調整するに当たり、軸部１５に固着した回動操作用のダイヤル１６を手動で操作する例につき説明したが、電動により照度調整用ルーバ６を回動して角度調整ができるようにしてもよい。この場合、照度調整用ルーバ６の角度の可変を連続して行うように制御することで、室内の雰囲気をダイナミックに変えることも可能となるものである。
【００２５】
上記例ではボックス２の前蓋板８の前面を鏡面９としてあるので、本発明の照明器具はボックス２自体が照明機能付きのミラー装置として機能するものである。
【００２６】
なお、ボックス２が壁面１に取付けられる収納棚やその他の工作物であってもよく、この場合にはボックス２自体が照明機能付きの収納棚（又は照明機能付きの工作物）として機能する。
【図面の簡単な説明】
【００２７】
【図１】本発明の斜視図である。
【図２】同上の全体斜視図である。
【図３】同上の斜視図である。
【図４】（ａ）は同上の側面図であり、（ｂ）は同上の前蓋部を開いた状態の側面図である。
【図５】（ａ）は同上の間接照明（暗め）に照度調整用ルーバを調整した場合の説明図であり、（ｂ）は同上の間接照明（明るめ）に照度調整用ルーバを調整した場合の説明図である。
【符号の説明】
【００２８】
１  壁面
２  ボックス
３  ランプ
４  上光透過用開口
５  下光透過用開口
６  照度調整用ルーバ
７  本体部
８  前蓋板
９  鏡面
【図１】
2005209393.tif 000003
【図２】
2005209393.tif 000004
【図３】
2005209393.tif 000005
【図４】
2005209393.tif 000006
【図５】
2005209393.tif 000007